(57)【要約】【課題】安定且つ確実に無線タグのデータ通信と情報表示の書き換えを行える、電池を備えない無線タグを含んだ表示媒体およびそれを備えた容器等を提供する。【解決手段】所定の表示データの読み出しと書き込みが可能な無線タグと、複数の画素を備え、複数の画素に対して少なくとも無線タグに書き込まれた表示データに応じた電位差を印加する表示装置を含む表示媒体であって、無線タグ及び表示装置は無線給電による電力を用いて動作し、表示装置は、複数の画素の全てに、正極性および負極性の電位差を交互に１回以上印加して画像の表示をリセットする、全画面表示書き換え駆動と、表示データに基づいて、複数の画素うち、書き換えが必要な画素に正極性又は負極性の電位差を印加し、書き換えが必要ない画素に電位差を印加しない、任意の表示を追記する部分駆動とを、状況により選択して低消費電力で動作させることができる。【選択図】図４
2020086225.tif 000002
【特許請求の範囲】
【請求項１】
所定のデータの複数回の読み出しと書き込みが可能な無線タグと、
複数の画素を備え、前記複数の画素に対して前記無線タグに書き込まれた表示データ、或いは無線データ通信を用いて送信された表示データの少なくともいずれかに応じた正極性又は負極性の電位差を印加することで複数回の前記画素の書き換え表示が可能な表示装置を含む表示媒体であって、
前記無線タグ及び前記表示装置は無線給電による電力を用いて動作し、
前記表示装置は、
前記複数の画素の全てに、正極性および負極性の電位差を交互に１回以上印加して前記画像の表示をリセットする、全画面表示書き換え駆動と、
前記表示データに基づいて、前記複数の画素うち、書き換えが必要な前記画素に正極性又は負極性の電位差を印加し、書き換えが必要ない前記画素に電位差を印加しない、任意の表示を追記する部分駆動とを、状況により選択して低消費電力で動作させることができる、表示媒体。
【請求項２】
請求項１に記載の表示媒体を備える、物品の保持、管理および輸送が可能な容器。
【請求項３】
前記全画面表示書き換え駆動により、前記複数の画素の全ては、白および黒の表示を交互に、かつ複数回行う、請求項２に記載の容器。
【請求項４】
前記複数の画素は２枚の対向電極間に印可される電位差により駆動され、前記任意の表示を追記する部分駆動において、前記画素に電位差を印加しない場合は、２枚の前記対向電極に対して実質的に同電圧を印加する、請求項２または３に記載の容器。
【請求項５】
前記全画面表示駆動と前記任意の表示を追記する部分駆動とにおいて、同一フレーム内では前記対向電極間に対して同電位、或いは正極性又は負極性のどちらか一方の極性の電圧を印加する、請求項２から４のいずれかに記載の容器。
【請求項６】
前記表示装置は、前記容器の内容物、輸送内容、および輸送方法の少なくともいずれかに関する情報を文字、画像、光学的に検出可能な１、２次元コードの少なくともいずれかで表示することが可能である、請求項２から５のいずれかに記載の容器。
【請求項７】
前記表示装置は、無線タグに書き込まれた表示データおよび無線データ通信を用いて送信された表示データの少なくともいずれかにより表示内容を書き換える事が可能である、請求項２から６のいずれかに記載の容器。
【請求項８】
前記表示装置は、発光部をさらに備え、表示データの書き込みが完了した事を前記発光部が発光することにより通知する、請求項２から７のいずれかに記載の容器。
【請求項９】
前記表示装置は前記画素として電気泳動表示素子を用いている、請求項２から８のいずれかに記載の容器。
【請求項１０】
請求項２から９のいずれかに記載の容器が備える無線タグの表示データを書き換え可能な情報送受信機であって、
前記無線タグから表示データの書き換えが完了した事を通知する信号を受信可能であって、
前記表示データの書き換えが完了した事を通知する信号を受信すると表示書き換えが完了したことを通知する完了音を発する、情報送受信機。
【請求項１１】
請求項２から９のいずれかに記載の容器の運用方法であって、
前記表示媒体は、
出荷又は出庫時の表示書き換えにおいては、無線給電による電力を用いて、前記全画面表示書き換え駆動と、前記任意の表示を追記する部分駆動とを連続して行うことにより表示を書き換え、
入荷、受け入れ工程内における表示書き換えにおいては、無線給電による電力を用いて、前記任意の表示を追記する部分駆動により行う、請求項２に記載の容器の運用方法。
【発明の詳細な説明】
【技術分野】
【０００１】
本発明は収納された物品及び輸送に関する情報を表示可能な表示媒体、それを備えた容器、およびその運用方法に関する。
【背景技術】
【０００２】
近年、ＩＣメモリなどの情報記憶部と、無線により外部と交信する為の送受信部と、情報記憶部の情報の読み出しあるいは情報記憶部への情報の書き込み制御を行う無線交信部とを有する無線情報記憶媒体が、非接触で所定の処理を行うことができることから、次世代の情報キャリアとして注目されている。このような無線情報記憶媒体は無線タグ（ＲＦＩＤ｛Ｒａｄｉｏ  Ｆｒｅｑｕｅｎｃｙ  Ｉｄｅｎｔｉｆｉｃａｔｉｏｎ｝タグ）として物品に取り付けられ、物品の万引き防止システムや、カードに埋め込まれ無線処理自動改札システムにおける定期券カードとしての利用が試みられている。
【０００３】
しかしながら、従来の無線タグは取り付けられている物品に関する情報を表示する必要が少ない為、人が目視で確認できる情報表示部を有していない。そのため、この様な無線タグを物流分野に利用する場合、例えば物品に荷札として取り付けられた無線タグから物品固有の情報を読み出すことにより物品の流れを一元的に管理するシステムなどにおいては、物品に取り付けられた無線タグの破損、故障などによる事態に陥った際に、現場作業者あるいは管理者による目視確認が不可能であった。さらに物品輸送の場合においては、無線タグにより物流管理はできるものの輸送情報の表示ができない為、現場作業者あるいは管理者による目視確認による輸送確認、輸送指示が不可能であった。
【０００４】
この様な課題に対して、例えば特表２００８−５０８１４９号公報（特許文献１）には、電子ラベルを有するコンテナ、およびコンテナの識別のための電子ラベルの利用が開示されている。
【先行技術文献】
【特許文献】
【０００５】
【特許文献１】特表２００８−５０８１４９号公報
【発明の概要】
【発明が解決しようとする課題】
【０００６】
しかし、特許文献１のように情報表示の書き換えが行われる無線タグを含んだ表示媒体（電子ラベル）を有するコンテナについては、電池を備えないバッテリレス型とした場合には、以下のような問題が生じる。つまり、無線タグを含んだ表示媒体の情報表示の書き換えに要する電力量は、無線タグが通信のために使用する電力量と比較して非常に大きい。このため、無線タグが情報送受信機（リーダライタ）から受信した信号を利用して生成した電力量では情報表示の書き換えには不足であり、情報表示の書き換えを実現することは困難であった。しかしながら前記文献にはその解決方法について言及されていない。
【０００７】
本発明は、このような事情に鑑みてなされたもので、安定且つ確実に無線タグのデータ通信と情報表示の書き換えを行える、電池を備えない無線タグを含んだ表示媒体およびそれを備えた容器等を提供することを目的とする。
【課題を解決するための手段】
【０００８】
上述した課題を解決するための本発明の一態様は、所定のデータの複数回の読み出しと書き込みが可能な無線タグと、複数の画素を備え、複数の画素に対して無線タグに書き込まれた表示データ、或いは無線データ通信を用いて送信された表示データの少なくともいずれかに応じた正極性又は負極性の電位差を印加することで複数回の画素の書き換え表示が可能な表示装置を含む表示媒体であって、無線タグ及び表示装置は無線給電による電力を用いて動作し、表示装置は、複数の画素の全てに、正極性および負極性の電位差を交互に１回以上印加して画像の表示をリセットする、全画面表示書き換え駆動と、表示データに基づいて、複数の画素うち、書き換えが必要な画素に正極性又は負極性の電位差を印加し、書き換えが必要ない画素に電位差を印加しない、任意の表示を追記する部分駆動とを、状況により選択して低消費電力で動作させることができる、表示媒体である。
【０００９】
また、本発明の他の局面は、上述の表示媒体を備える、物品の保持、管理および輸送が可能な容器である。
【００１０】
また、本発明の他の局面は、上述の容器が備える無線タグの表示データを書き換え可能な情報送受信機であって、無線タグから表示データの書き換えが完了した事を通知する信号を受信可能であって、表示データの書き換えが完了した事を通知する信号を受信すると表示書き換えが完了したことを通知する完了音を発する、情報送受信機である。
【００１１】
また、本発明の他の局面は、上述の容器の運用方法であって、表示媒体は、出荷又は出庫時の表示書き換えにおいては、無線給電による電力を用いて、全画面表示書き換え駆動と、任意の表示を追記する部分駆動とを連続して行うことにより表示を書き換え、入荷、受け入れ、工程内における表示書き換えにおいては、無線給電による電力を用いて、任意の表示を追記する部分駆動により行う、容器の運用方法である。
【発明の効果】
【００１２】
本発明によれば、容器の運用状況により表示画像の書き換え時の駆動を変える事により省電力量化が図れるので、無線給電によって安定に動作する電池を備えない無線タグを含んだ表示媒体を有する容器を提供することができる。
【図面の簡単な説明】
【００１３】
【図１】本発明の第一実施形態に係る容器と情報送受信機の概要を示す図
【図２】本発明の第一実施形態に係る無線タグを含んだ表示媒体の構成を示すブロック図
【図３】本発明の第一実施形態に係る表示媒体の書き換え状況と駆動方法とを示す表
【図４】本発明の第一実施形態の表示媒体の駆動詳細を示す図
【図５】本発明の第一実施例の画素回路図
【図６】本発明の第一実施例の表示部回路図
【図７】本発明の実施例１の概要を示す図
【図８】本発明の実施例１における書き換え時の表示画像
【図９】本発明の実施例１における書き換え時の駆動を示す図
【図１０−１】本発明の実施例２の概要を示す図
【図１０−２】本発明の実施例２の概要を示す図
【図１１】本発明の実施例２における追記時の表示画像
【図１２】本発明の実施例２における書き換え時の駆動を示す図
【発明を実施するための形態】
【００１４】
以下本発明を説明する。但し、図面の記載は一例であり、本発明を何ら限定するものではない。
【００１５】
［容器の構成例］
図１は、本実施形態の電池を備えない無線タグを含んだ表示媒体を有する容器の一例を示している。本実施形態は、物品の保持、管理および輸送のため容器１に無線タグを含んだ表示媒体２が備えられており、情報表示の書き換えやデータのやりとりは情報送受信機３による電波４によって行われる。
【００１６】
無線タグを含んだ表示媒体２は、所定のデータの複数回の読み出しと書き込みが可能な無線タグと表示部１６とを備え、情報送受信機３と通信を実行する。無線タグを含んだ表示媒体２は、電池を備えないバッテリレス型であり情報送受信機３から受信した信号を利用して生成した電力（受給電力）を使用して通信を実行する。また、無線タグを含んだ表示媒体２は、情報送受信機３から受信した信号が表示書き換え命令である場合に、この信号を利用して生成した受給電力を使用して表示を書き換える。無線タグを含んだ表示媒体２は、例えば受信した信号を整流及び平滑化して直流電圧を生成することで、受給電力を生成することができる。
【００１７】
無線タグを含んだ表示媒体２が備える表示部１６には、例えば電気泳動表示素子が用いられる。一例として、白黒表示に対応する電気泳動表示素子は、２枚の電極間にそれぞれが異なる極性により帯電された白色と黒色の顔料粒子を封入したマイクロカプセルが二次元方向に配列された構造を有し、２枚の電極間に電圧を印加して画素ごとの表示内容に応じた極性の電界（電位差）を発生させると、発生された電界の方向に応じてマイクロカプセル内の白色と黒色の顔料粒子のうちの一方が表示面側に移動し、他方が表示面の反対側に移動する。これにより、表示部１６の画面において白黒の画像が表示される。
【００１８】
また、電気泳動表示素子は電極間に電界が発生していない状態では、顔料粒子の位置がほとんど固定された状態となる。つまり、電気泳動表示素子は駆動のための電力がなくとも表示内容を維持することができる。したがって、電気泳動表示素子では情報表示の書き換えにおいてのみ電力を使用すればよい。
【００１９】
無線タグを含んだ表示媒体２は、情報送受信機３から受信した信号（電波４）を利用して生成した受給電力により表示、表示の書き換え等の動作を行う（無線給電）。情報送受信機３が信号を送信する際の電力は、表示の書き換えに必要な受給電力を生成できるだけのレベルを有する。そのうえで、表示を書き換える必要の無いときには表示書き換えの電力を必要としない。これにより、本実施形態の無線タグを含んだ表示媒体２は、前述のように電池を備えないバッテリレス型とすることができる。バッテリレス型であることで、無線タグを含んだ表示媒体２を小型薄型に形成することが可能となる。
【００２０】
情報送受信機３は図１に示すように容器１の近傍に配置され、通信範囲内に位置する無線タグを含んだ表示媒体２と無線データ通信が可能である。つまり、図１における情報送受信機３は、無線タグを含んだ表示媒体２が通信範囲内に位置するのに応じて、無線タグを含んだ表示媒体２と通信を実行することができる。この際、情報送受信機３はデータ通信に対応したレベルの受給電力を、無線タグを含んだ表示媒体２にて生成させ無線タグの固体認証を行い、表示書き換えに対応したレベルの受給電力を、無線タグを含んだ表示媒体２にて生成させその情報に基づき表示部１６の書き換えを行う。
【００２１】
［無線タグを含んだ表示媒体２の構成例］
図２のブロック図は、無線タグを含んだ表示媒体２の構成例を示している。図２に示す無線タグを含んだ表示媒体２は、送受信部１１、電源生成部１５、通信／情報処理部１０１、表示装置部１０２を備える。送受信部１１は、情報送受信機３と送受信を実行する。
【００２２】
送受信部１１は、例えばアンテナ及びＲＦ（Ｒａｄｉｏ  Ｆｒｅｑｕｅｎｃｙ）回路などを備える。送受信部１１において、情報送受信機３が送信した信号はアンテナにて受信され、ＲＦ回路にてフィルタリング、中間周波数への周波数変換、増幅などが施されて通信／情報処理部１０１の制御／処理部１２に受信信号として出力される。また、送受信部１１は、通信／情報処理部１０１の制御／処理部１２により変調された信号を入力してフィルタリング、ＲＦ信号への周波数変換、増幅等を行い、アンテナから送出する。さらに、送受信部１１は、情報送受信機３から受信した信号を電源生成部１５に出力する。
【００２３】
通信／情報処理部１０１は、データ通信、データ処理を実行する部位である。また、通信／情報処理部１０１は、例えば１つのＩＣチップにより構成することができる。通信／情報処理部１０１は、制御／処理部１２、記憶部１３を備える。
【００２４】
制御／処理部１２は、送受信部１１にて受信された受信信号について復調を施して受信データを生成し出力する。また、制御／処理部１２は送信データにより搬送波を変調して生成した信号を送受信部１１に出力する。送受信部１１は、制御／処理部１２から出力された信号を送出する。
【００２５】
記憶部１３は、無線タグを含んだ表示媒体２のＩＤを記憶する。また、記憶部１３は、複数の表示データを格納した表示データテーブルを記憶する。制御／処理部１２は、記憶部１３から無線タグを含んだ表示媒体２のＩＤを読み出し、送信データを出力する。これにより、無線タグを含んだ表示媒体２から無線タグを含んだ表示媒体２のＩＤを通知する信号が送信される。また、制御／処理部１２は、送受信部１１にて受信された受信信号に基づき、表示データを含めた表示切換指示を表示装置部１０２に出力する。あるいは、制御／処理部１２は、記憶部１３から表示データを読み出し、読み出した表示データを含めた表示切換指示を表示装置部１０２に出力する。
【００２６】
電源生成部１５は、送受信部１１が情報送受信機３から受信した信号を利用して受給電力としての直流電圧を生成する。電源生成部１５は、整流回路と定電圧制御回路とを備え、整流回路は送受信部１１が受信した信号を整流して定電圧制御回路に出力する。定電圧制御回路は、整流回路により整流された信号を入力して所定電圧値に定電圧化された直流電圧を生成する。
【００２７】
表示装置部１０２は、複数の画素を備え、複数の画素に対して無線タグに書き込まれた表示データ、或いは無線データ通信を用いて送信された表示データの少なくともいずれかに応じた正極性又は負極性の電位差を印加することで複数回の画素の書き換え表示が可能であって、一例として、電気泳動素子を用いた電気泳動層による表示部１６と、表示部１６を駆動制御する表示制御部１７とＬＥＤによる発光部１４から構成されている。制御／処理部１２が出力した表示書き換え又は追記の指示に応じて、表示データの内容に表示が書き換わるように表示制御部１７を介し表示部１６を駆動する。表示装置部１０２は、情報表示の書き換え又は追記に際して、各画素に対して表示データに応じた方向の電界を与えるように駆動する。これにより、表示部１６の画像が表示データの内容に変更される。
【００２８】
ＬＥＤからなる発光部１４は、例えば表示部１６の書き換え又は追記が完了した時、或いは無線タグの認証した時に確認用として発光するものであり、発光部１４は制御／処理部１２の信号により発光する。
【００２９】
表示装置部１０２は、表示部１６の情報表示の書き換え、或いは追記やＬＥＤの発光にあたり、情報送受信機３によって送信された信号を利用して電源生成部１５が生成した電力を使用する。
【００３０】
［情報表示の書き換え例］
表示部１６の書き換えには２通りあり、その状況例と駆動状況を図３に示した。
第１の書き換え状況は、例えば容器詰め、出荷時の様に複数の容器１が同じ場所に配置される場合である。このような場合は、まず白／黒リセットによる全画面書き換えを行う。白／黒リセットとは前画面の消去と焼きつき防止の為のものである。それに続いて内容物情報、出荷情報等の表示を部分駆動により表示書き換えをする。
【００３１】
この時の駆動の一例を図４に１：全画面書き換え（全画面表示書き換え駆動）として記載した。図４は電気泳動層に印加される電圧の時間推移を示したものである。全画面書き換えの場合は、白／黒リセット｛電気泳動層を動作させるのに必要な電圧（＋Ｖ、−Ｖ）を交互に印加する｝を印加した後に、後述する部分書き換え（追記）により表示画像の色により＋Ｖ又は０Ｖを印加し、表示書き換えを完了させる。
【００３２】
なお図４では、白／黒リセット終了時に白表示である為、白表示の場合には書き込み時には電圧を印加しない。また図４から分かるように、電気泳動層を駆動する場合には、必ず同一フレーム内では対向電極に対して同電圧、或いは正極性又は負極性のどちらか一方の極性の電圧を印加するものである。これにより、電圧極性反転による消費電力の増加を低減している。
【００３３】
第２の書き換え状況はいわゆる追記である。例えば納入、受け入れ、作業工程内での使用履歴などを追記表示する場合であり、予め決められた均一表示の領域に（例えば白表示の領域）、反対色の表示（例えば黒文字）を追記する場合である。この時の駆動の一例を図４に２：部分書き換え（追記）（任意の表示を追記する部分駆動）として記載した。これは図４の１：全画面書き換え後の白表示の場所に、黒表示を追記する場合の例である。部分書き換えでは、電気泳動層の駆動は白／黒リセット無しであり、追記領域には電圧を印加し、追記領域以外には電圧を印加しない部分書き換えであり、さらに同一フレーム内では対向電極に対して同電圧、或いは正極性又は負極性のどちらか一方の極性の電圧を印加することで書き込み、追記を完了させる。これにより、非駆動部の消費電力低減と、電圧極性反転による消費電力の増加を低減している。
【００３４】
［情報表示の書き換え終了例］
情報表示の書き換えが完了した場合は、発光部１４を一定期間光らせて完了を知らせる。これは複数の容器１を一度に情報表示の書き換えを行う場合、書き換え不良の発見を行う確認の為であり、これにより書き込み不良が発生した場合には、再度書き換えを行うものである。また１個の容器１だけを書き換える場合には、発光部１４を光らせる代わりに無線タグを含んだ表示媒体２から情報送受信機３へ“書き換え完了”信号を送信し、それにより情報送受信機３に音（完了音）を発させるか、情報送受信機３に完了の表示をさせてもよい。
【実施例】
【００３５】
以下に本発明の実施例を示すが、これに限定されるわけではない。
【００３６】
（実施例１）
容器１の構成、無線タグを含んだ表示媒体２の構成は実施形態例の通りである。なお無線タグを含んだ表示媒体２の表示部１６には、図５に示したような半導体にｎ型を用いたＴＦＴ（Ｔｈｉｎ  Ｆｉｌｍ  Ｔｒａｎｓｉｓｔｏｒ）２１を駆動基板として、電気泳動層２３を動作させている。
【００３７】
［表示部１６の詳細］
図５に表示部１６の画素回路図について記載した。表示部１６の電気泳動層２３は一方をＶ＿ＣＯＭ、もう一方をＴＦＴ２１のＤＲＡＩＮに繋げてある。またＤＲＡＩＮ電極とＶ＿ＣＯＭの間には蓄積容量Ｃｓ２２を設けてある。電気泳動層２３を動作させるのには、Ｖ＿ＧＡＴＥにＴＦＴ２１をＯＮさせる電圧＋１０Ｖを印加し、Ｖ＿ＤＡＴＡに＋５Ｖ印加すれば黒表示、Ｖ＿ＤＡＴＡに−５Ｖ印加すれば白表示であり、この時のＶ＿ＣＯＭ＝Ｖ＿ＣｓはＧＡＴＥフィードスルー電圧を鑑みて−１Ｖとしてある。
【００３８】
図６に表示部１６の回路図を示した。この例では縦１００×横１００画素を用いて表示部１６を構成している。各画素へのＶ＿ＧＡＴＥは紙面上から下へ（Ｇ１からＧ１００へ）電圧を走査させて印加しており、Ｖ＿ＤＡＴＡはＤ１〜Ｄ１００の電圧を一度に印加している。なおＶ＿ＣＳ、Ｖ＿ＣＯＭは各画素共通としＧＡＴＥフィードスルー電圧を鑑みた電圧である。この駆動の詳細は以下に記載する。
【００３９】
［情報表示の書き換え例］
［容器詰め／出荷］
複数の容器１に同時に無線給電が十分に可能な状況である様子を図７に示した。本状況は、容器への内容物の詰め込みおよび出荷又は出庫を行う場面を想定したものであり、図７に示すように、無線タグを含んだ表示媒体２を備えた容器１を棚１０３に配置した。また棚１０３には無線給電用アンテナシート１０４が敷かれており、情報送受信機３からの情報が無線データ通信により送信できるようになっている。なお無線給電用アンテナシート１０４の変わりにゲート型、平面型等のアンテナを利用しても良い。情報送受信機３から容器１に出荷情報を表示させる為に信号を送り、白／黒リセット表示と情報表示の書き換えが完了して、さらに発光部１４の発光しているのを確認した。
【００４０】
この時の画面の書き換えの様子（表示部１６における表示画像）を図８に、その時の駆動を図９に示した。始めに白／黒リセットとして、白表示及び黒表示が行われ（図８の１、図８の２）、その後画像を書き込んで書き換え完了している（図８の３）。具体的にはＧ１からＧ１００へ電圧を走査させて印加しており、ＧＡＴＥが開いている間に、Ｄ１〜Ｄ１００の電圧を印加している。なおＶ＿ＣＳ、Ｖ＿ＣＯＭは各画素共通としＧＡＴＥフィードスルー電圧を鑑みた電圧である。また図９のＤＡＴＡを見て分かるように、同一フレーム内では対向電極に対して同電圧、或いは正極性又は負極性のどちらか一方の極性の電圧を印加して低消費電力化を行っている。
【００４１】
［納入／受け入れ／作業工程］
個々の無線タグを含んだ表示媒体２を備えた容器１に、無線給電が可能な状況を図１０−１に示した。本状況は、容器の納入（入荷）、受け入れ、これに伴う作業工程を想定したものであり、作業場の机１０５に容器１が置かれている。この容器１から内容物を取り出したので、取り出し確認を表示する為に、携帯型情報送受信機５から容器１に無線データ通信により表示追記信号を送った。その後情報表示の書き換え追記が完了し、携帯型情報送受信機５から表示書き換え完了音が鳴るのを確認した。
【００４２】
或いは個々の無線タグを含んだ表示媒体２を備えた容器１に、無線給電が可能な状況を図１０−２に示した。本状況も、容器の納入（入荷）、受け入れ、これに伴う作業工程を想定したものであり、容器１は台車に置かれている。この容器１の納品を確認したので、受け取り確認を表示する為に、携帯型情報送受信機５から容器１に受け取り確認信号を個々に送り、個々に情報表示の書き換えが完了し、携帯型情報送受信機５から表示書き換え完了音が個々に鳴るのを確認した。
【００４３】
この時の画面の書き換えの様子（表示部１６における表示画像）を図１１に、駆動を図１２に示した。出荷後の図８−３の表示状態から追記するので、白表示部に黒表示を部分的に追記する。したがって白表示部に黒表示を部分的に追記する場合には＋Ｖを印加するが、前画像と後画像が同じ表示の場合（黒表示→黒表示、白表示→白表示）は０Ｖを印加し書き換えを完了している。なおＤＡＴＡを見て分かるように、同一フレーム内では対向電極に対して同電圧、或いは正極性又は負極性のどちらか一方の極性の電圧を印加している。
【００４４】
以上のように、本実施形態では情報送受信機３と携帯型情報送受信機５とで、表示装置部１０２の駆動を変える事により、情報送受信機３或いは携帯型情報送受信機５から受信した信号を利用して生成した電力（受給電力）だけを使用して通信と表示の書き換えを行った。
【００４５】
（実施例２）
実施例１では、情報送受信機３と携帯型情報送受信機５の装置の違いにより、異なる命令を行っていたが、この２つの命令を一つの装置の２つの異なるコマンドとして実施した。実施例１と同様な書き換えが行えた。
【産業上の利用可能性】
【００４６】
本発明は、無線タグを含んだ表示媒体を有する容器とその運用方法において有用である。
【符号の説明】
【００４７】
１：容器
２：無線タグを含んだ表示媒体
３：情報送受信機
４：電波
５：携帯型情報送受信機
１１：送受信部
１２：制御／処理部
１３：記憶部
１４：発光部
１５：電源生成部
１６：表示部
１７：表示制御部
１０１：通信／情報処理部
１０２：表示装置部
２１：ＴＦＴ
２２：蓄積容量
２３：電気泳動層
１０３：棚
１０４：無線給電用アンテナシート
１０５：机
１０６：台車
【図１】
2020086225.tif 000003
【図２】
2020086225.tif 000004
【図３】
2020086225.tif 000005
【図４】
2020086225.tif 000006
【図５】
2020086225.tif 000007
【図６】
2020086225.tif 000008
【図７】
2020086225.tif 000009
【図８】
2020086225.tif 000010
【図９】
2020086225.tif 000011
【図１０−１】
2020086225.tif 000012
【図１０−２】
2020086225.tif 000013
【図１１】
2020086225.tif 000014
【図１２】
2020086225.tif 000015